(57)【要約】【課題】泥除け板への泥の付着を抑制することのできる歩行型耕耘機を提供する。【解決手段】歩行型耕耘機１は、下方に突出する伝動軸１９を有するエンジン３と、エンジン３に取付けられて下方に伸び伝動軸１９から伝達される回転を伝動軸１９の軸方向と略垂直方向に延びる耕耘軸５から出力するギヤケース２と、ギヤケース２にフレーム４とハンドルブラケットを介して取付けられる操縦ハンドルと、耕耘軸５の回転動力により駆動される耕耘刃６と、エンジン３と耕耘刃６との間に設けられ、耕耘刃６に対向する面にフッ素を含有する樹脂が塗布されたフッ素樹脂コーティング面２３を有する、耕耘刃６を覆う泥除け板７と、を備える。【選択図】図２
2011177053.tif 000002
【特許請求の範囲】
【請求項１】
下方に突出する出力軸を有するエンジンと、
前記出力軸を囲むように前記エンジンの下部に設けられて下方に伸び、前記出力軸から伝達される回転を前記出力軸の軸方向と略垂直方向に延びる駆動軸から出力するギヤケースと、
該ギヤケースから斜め上方に延びる操縦ハンドルと、
前記駆動軸の回転動力により駆動される耕耘刃と、
前記エンジンと前記耕耘刃との間に設けられ、前記耕耘刃に対向する面にフッ素を含有する樹脂が塗布されたフッ素樹脂コーティング面を有する、前記耕耘刃を覆う泥除け板と、を備える、
ことを特徴とする歩行型耕耘機。
【請求項２】
前記泥除け板と前記エンジンとの間に設けられ、前記出力軸に取付けられるファンにより前記泥除け板に向かって送風する送風機と、
該送風機の下方に位置し、前記泥除け板を貫通する、第１の貫通孔と、を備える、
ことを特徴とする請求項１に記載の歩行型耕耘機。
【請求項３】
前記泥除け板は、前記駆動軸の延びる方向と略直角方向に前記耕耘刃側に突出するように延び、前記第１の貫通孔が接続されるとともに突出側の側面に第２の貫通孔が形成され、長手方向の端部が閉じられる中空形状の中空突出部を有する、
ことを特徴とする請求項２に記載の歩行型耕耘機。
【請求項４】
前記中空突出部は、前記中空突出部の長手方向と垂直な断面において、底辺に前記第１の貫通孔が形成され、他の辺に前記第２の貫通孔が形成される、略三角形状の中空断面を有する、
ことを特徴とする請求項３に記載の歩行型耕耘機。
【発明の詳細な説明】
【技術分野】
【０００１】
本発明は、圃場を耕耘するための歩行型耕耘機に関する。
【背景技術】
【０００２】
従来、歩行型耕耘機には耕耘刃の上方を覆う泥除け板が設けられ、回転する耕耘刃が跳ね上げる土や泥が泥除け板上方に設けられたエンジンや作業者に向かって飛散することを防止している（特許文献１参照）。
【先行技術文献】
【特許文献】
【０００３】
【特許文献１】特開２００２−２４０７５０号公報
【発明の概要】
【発明が解決しようとする課題】
【０００４】
ところで、耕耘刃から飛散した泥が泥除け板に付着して堆積すると、耕耘機の重量が増加して操縦性が低下するうえ、泥を取り除くための清掃作業が必要になるという課題があった。
【０００５】
本発明は、上記課題に鑑みてなされたものであり、泥除け板への泥の付着を抑制することのできる歩行型耕耘機を提供することを目的とする。
【課題を解決するための手段】
【０００６】
上記目的を達成するために、本発明に係る歩行型耕耘機は、
下方に突出する出力軸を有するエンジンと、
前記出力軸を囲むように前記エンジンの下部に設けられて下方に伸び、前記出力軸から伝達される回転を前記出力軸の軸方向と略垂直方向に延びる駆動軸から出力するギヤケースと、
該ギヤケースから斜め上方に延びる操縦ハンドルと、
前記駆動軸の回転動力により駆動される耕耘刃と、
前記エンジンと前記耕耘刃との間に設けられ、前記耕耘刃に対向する面にフッ素を含有する樹脂が塗布されたフッ素樹脂コーティング面を有する、前記耕耘刃を覆う泥除け板と、を備える、ことを特徴とする。
【０００７】
また、前記泥除け板と前記エンジンとの間に設けられ、前記出力軸に取付けられるファンにより前記泥除け板に向かって送風する送風機と、
該送風機の下方に位置し、前記泥除け板を貫通する、第１の貫通孔と、を備えてもよい。
【０００８】
さらに、前記泥除け板は、前記駆動軸の延びる方向と略直角方向に前記耕耘刃側に突出するように延び、前記第１の貫通孔が接続されるとともに突出側の側面に第２の貫通孔が形成され、長手方向の端部が閉じられる中空形状の中空突出部を有してもよい。
【０００９】
また、前記中空突出部は、前記中空突出部の長手方向と垂直な断面において、底辺に前記第１の貫通孔が形成され、他の辺に前記第２の貫通孔が形成される、略三角形状の中空断面を有することが好ましい。
【発明の効果】
【００１０】
本発明によれば、フレームと耕耘刃との間に耕耘刃に対向する面にフッ素を含有する樹脂が塗布された耕耘刃を覆う泥除け板が設けられるので、泥除け板への泥土等の付着を抑制することができる。
【図面の簡単な説明】
【００１１】
【図１】本発明の第１実施形態に係る歩行型耕耘機の斜視図である。
【図２】図１の要部の側面図である。
【図３】本発明の第２実施形態に係る歩行型耕耘機の要部の側面図である。
【図４】図３のＩＶ−ＩＶ線断面図である。
【図５】図３の歩行型耕耘機の動作を示す図である。
【発明を実施するための形態】
【００１２】
以下、本発明の第１実施形態を添付の図１、図２に沿って説明する。図１に示すように、歩行型耕耘機（以下、耕耘機）１は、下方に伸びるギヤケース２が取付けられたエンジン３と、ギヤケース２に取付けられるフレーム４と、ギヤケース２の下端近傍から伸びる耕耘軸（駆動軸）５に固定された４枚の耕耘刃６と、フレーム４の下方（耕耘刃６側）でギヤケース２に取付けられて耕耘刃６を部分的に覆う泥除け板７と、フレーム４にハンドルブラケット８を介して取付けられた右側ハンドル９ａと左側ハンドル９ｂから成るハンドル（操縦ハンドル）９と、ギヤケース２から後方斜め下方（図の右下方）に伸びる抵抗棒１０とを備えている。
【００１３】
エンジン３はクランク軸（図示せず）がギヤケース２の伸びる方向と同方向（図１の上下方向）を向くようにギヤケース２の上端に設けられる。エンジン３の側部には、燃料タンク１１、エアクリーナ１２が取付けられ、エンジン３の上部にはスタータハンドル１３を備えたリコイルスタータ１４が取付けられている。右側ハンドル９ａの端部近傍にはスロットルケーブル１５の一方の端部が接続されたスロットルレバー１６が取付けられている。スロットルケーブル１５の他方の端部はキャブレター（図示せず）に接続され、スロットルレバー１６の操作に応じてエンジン３の回転が調整される。抵抗棒１０は長孔部１７が形成され、抵抗棒１０には長孔部１７内を移動可能に車輪１８が取付けられている。
【００１４】
図２に示すように、ギヤケース２の内部には、エンジン３のクランク軸（図示せず）の回転を遠心クラッチ（図示せず）を介して伝達する伝動軸（出力軸）１９が設けられている。伝動軸１９の下部には円筒ウォーム２０が形成される。円筒ウォーム２０はギヤケース２の内部で耕耘軸５に固定されたウォームホイール２１に噛み合い、円筒ウォーム２０とウォームホイール２１はウォームギヤ２２を構成する。エンジン３の出力は、伝動軸１９からウォームギヤ２２を介して耕耘軸５に伝達され、耕耘刃６を回転駆動する。また、泥除け板７は、耕耘刃６側の面（下面）に、フッ素を含有した樹脂、例えば、ポリテトラフルオロエチレン（ＰＴＦＥ）、が塗布されたフッ素樹脂コーティング面２３を有している。
【００１５】
このように構成された耕耘機１によれば、エンジン３作動中に作業者がスロットルレバー１６を握ると、エンジン３の回転が上昇して遠心クラッチ（図示せず）が接続し伝動軸１９が回転する。伝動軸１９の回転はウォームギヤ２２、耕耘軸５を経て耕耘刃６に伝達される。そして、耕耘刃６が回転することで圃場が掘り起こされる。このとき、掘り起こされた泥土等が耕耘刃６の回転により跳ね上がり、泥除け板７のフッ素樹脂コーティング面２３にぶつかることになる。しかし、フッ素樹脂コーティング面２３は非粘着性、低摩擦性を有しているので、泥除け板７にぶつかった泥土等がフッ素樹脂コーティング面２３に付着することを大幅に抑制することができる。また、泥土等がフッ素樹脂コーティング面２３に付着した場合であっても、フッ素樹脂コーティング面２３は非粘着性、低摩擦性を有しているので、エンジン３の振動および耕耘機１による耕耘作業による振動により、付着した泥土等をフッ素樹脂コーティング面２３から容易に剥離し落下させることができる。したがって、泥除け板７への泥土等の付着による耕耘機１の重量の増加を抑えることができ、操縦性の変化が抑制されて作業性を良好に維持することができる。また、泥除け板７への泥土等の付着が抑えられるので、頻繁に清掃する必要がなくなるうえ、付着した泥土等を落とす清掃作業を容易に行うことができる。
【００１６】
次に、本発明の第２実施形態に係る歩行型耕耘機（以下、耕耘機）１０１について、図３乃至図５に沿って説明する。本実施形態における耕耘機１０１では、第１実施形態の耕耘機１に対して、エンジン３と泥よけ板１０７の間に送風機１２４を設け、送風機１２４から送られる空気を泥除け板１０７の耕耘刃６側に設けた中空突出部（突出部）１２５の空気吹出孔（第２の貫通孔）１２６から噴出するように変更している。なお、第１実施形態と同様の構成要素には同一の符号を付することでその詳細な説明は省略する。
【００１７】
図３、図４に示すように、エンジン３と泥除け板１０７との間には送風機１２４が設けられている。送風機１２４の側部には、空気導入孔１２７が形成され、送風機１２４の内部には伝動軸１９に固定されたファン１２８が設けられ、ファン１２８は図の下方に向かって送風する。また、送風機１２４は下部で泥除け板１０７に接し、送風機１２４の下方の下流に位置する泥除け板１０７には空気流通孔（第１の貫通孔）１２９が複数設けられている。なお、送風機１２４はギヤケース１０２と一体に構成され、ギヤケース１０２の送風機１２４部分の側部において送風機１２４部分を挟むようにフレーム４が取付けられている。また、ギヤケース１０２の送風機１２４部分の上方には、伝動軸１９にエンジン３の出力を伝達する遠心クラッチ１３０が設けられている。泥除け板１０７の下側（耕耘刃６側）には、頂点が下向きの略三角形の中空断面を持ち、泥除け板１０７の前端（図３の左端）から後端（図３の右端）まで伸び、前端と後端が閉じた、２つの中空突出部１２５がギヤケース１０２を挟んで略平行に設けられている。図４に示すように、中空突出部１２５の中空部分は泥除け板１０７に形成された空気流通孔１２９を介して送風機１２４のファン１２８が収められた内部空間と接続されている。また、中空突出部１２５の泥除け板１０７から突出する２つの側面にはそれぞれ複数の空気吹出孔１２６が形成されている。そして、泥除け板１０７と中空突出部１２５の下側（耕耘刃６側）の面には、フッ素を含有した樹脂、例えば、ポリテトラフルオロエチレン（ＰＴＦＥ）、が塗布されたフッ素樹脂コーティング面１２３が設けられている。
【００１８】
このように構成された耕耘機１０１によれば、エンジン３作動中に作業者がスロットルレバー（図示せず）を握ると、エンジン３の回転が上昇して遠心クラッチ（図示せず）が接続し伝動軸１９が回転する。伝動軸１９の回転はウォームギヤ２２、耕耘軸５を経て耕耘刃６に伝達され、耕耘刃６が回転することで図５に示すように圃場１４０が掘り起こされる。その一方、伝動軸１９が回転することで送風機１２４内のファン１２８が回転し、図４に矢印で示すように、空気は、空気導入孔１２７から送風機１２４内に取り込まれ、空気流通孔１２９を通って中空突出部１２５の空気吹出孔１２６から噴出する。
【００１９】
作業中、掘り起こされた泥土等が耕耘刃６の回転により跳ね上がり、泥除け板１０７にぶつかることになる。しかし、泥除け板１０７には斜め下向き(図４参照）に空気を噴出する空気吹出孔１２６が形成された中空突出部１２５が設けられているので、空気吹出孔１２６から噴出した空気により耕耘刃６により跳ね上げられた泥土等は泥除け板１０７に付着することなく落下させることができる。また、図５に示すように、泥土等１４１が泥よけ板１０７に付着した場合であっても、空気吹出孔１２６から噴出する空気が付着した泥土等１４１を泥よけ板１０７表面より浮き上がらせ、泥土等を矢印で示すように落下させることができる。また、中空突出部１２５は頂点が下向きの略三角形の断面を有するので、耕耘刃６に対向する面積を半円やその他の形状と比べて小さくすることができ、泥土等１４１の付着を抑制し、落下しやすくすることができる。また、泥土等１４１が飛散する方向に対して表面が傾斜することで、泥土等の付着を抑制することができる。さらに、中空突出部１２５は泥除け板１０７の前端から後端まで延びることで泥除け板１０７を補強することもできる。さらに、泥除け板１０７の耕耘刃６側には非粘着性、低摩擦性を有するフッ素樹脂コーティング面１２３が設けられているので、泥除け板７にぶつかった泥土等がフッ素樹脂コーティング面１２３に付着することを大幅に抑制することができる。また、泥土等がフッ素樹脂コーティング面１２３に付着した場合であっても、フッ素樹脂コーティング面１２３は非粘着性、低摩擦性を有しているので、上述の空気吹出孔１２６から噴出する空気による泥土等を浮き上がらせて落下させる作用をより効果的に達成できるうえ、エンジン３の振動および耕耘機１０１による耕耘作業による振動により、付着した泥土等をフッ素樹脂コーティング面１２３から容易に剥離し落下させることができる。したがって、泥除け板１０７への泥土等の付着による耕耘機１０１の重量の増加をより抑制することが可能となり、操縦性の変化がより抑制されて作業性を良好に維持することができる。また、泥除け板１０７への泥土等の付着が一層抑えられるので、頻繁に清掃する必要がなくなるうえ、付着した泥土等を落とす清掃作業がより容易になる。
【００２０】
なお、上述の第１実施形態では、泥除け板７は湾曲した板状に形成されているが、この泥除け板７の下面に第２実施形態で示した中空突出部１２５のように、頂点が下向きの略三角形断面を持ち、泥除け板７の前端から後端まで伸びギヤケース２を挟んで略平行に設けられる突出部を設けても良い。また、上述の第２実施形態では、泥除け板１０７には中空突出部１２５が設けられているが、中空突出部１２５を取除き、泥除け板１０７に設けた空気流通孔１２９から直接下方に向かって空気を噴出するように構成してもよい。この場合でも、空気の噴出により泥土等の付着を抑制しすることができるうえ、部品点数が少なくなるので製造コストや製品コストを抑えることができるという更なる利点がある。なお、この場合の空気流通孔１２９の位置は第２実施形態の場合と同じ位置に限られるものでは無い。なお、上述の第２実施形態、第１実施形態の変形例では、中空突出部１２５、突出部の断面形状は略三角形であったが、断面形状は略三角形に限られるものでは無く、例えば、略半円、略半楕円、略四角等の断面形状を有していてもよい。
【符号の説明】
【００２１】
１、１０１  歩行型耕耘機
２、１０２  ギヤケース
３  エンジン
４  フレーム
５  耕耘軸
６  耕耘刃
７、１０７  泥除け板
１９  伝動軸
２２  ウォームギヤ
２３、１２３  フッ素樹脂コーティング面
１２４  送風機
１２５  中空突出部
１２６  空気吹出孔
１２７  空気導入孔
１２８  ファン
１２９  空気流通孔
【図１】
2011177053.tif 000003
【図２】
2011177053.tif 000004
【図３】
2011177053.tif 000005
【図４】
2011177053.tif 000006
【図５】
2011177053.tif 000007